(57)【要約】【課題】導光板のランナー部の除去に伴う痕跡に影響されずに、均一な配光特性を得ることができる照明装置を提供する。【解決手段】照明装置は、器具本体３と、器具本体３の前面に配された複数の半導体発光素子と、複数の半導体発光素子を覆う状態で器具本体３に設けられ且つ半導体発光素子から発せられた光を導光して前方へと出射する導光板２５と、導光板２５を覆う状態で器具本体３に装着されたカバーとを備え、導光板２５は、ランナー部除去に伴う痕跡１２４を１個以上有する射出成形品であり、痕跡１２４から出射される光がカバーに直接達するのを規制する規制部材９５が痕跡１２４とカバーとの間に設けられている。【選択図】図１１
2014146562.tif 000002
【特許請求の範囲】
【請求項１】
器具本体と、
前記器具本体の前面に配された複数の半導体発光素子と、
前記複数の半導体発光素子を覆う状態で前記器具本体に設けられ、前記半導体発光素子から発せられた光を導光して前方へと出射する導光板と、
前記導光板を覆う状態で前記器具本体に装着されたカバーと
を備え、
前記導光板は、ランナー部除去に伴う痕跡を１個以上有する射出成形品であり、
前記痕跡から出射される光が前記カバーに直接達するのを規制する規制部材が、前記痕跡と前記カバーとの間に設けられている
ことを特徴とする照明装置。
【請求項２】
前記器具本体は、引掛けシーリング用の貫通口を中央に有し、
前記導光板は、前記貫通口に対応した貫通孔を有し、
前記痕跡が前記導光板の内周面及び外周面の少なくとも一方の面に存在している
ことを特徴とする請求項１に記載の照明装置。
【請求項３】
前記痕跡にはバリが残存し、
前記規制部材は、前記バリを前記カバー側から被覆する第１被覆部と、前記バリを前記一方の面と直交する方向であって前記導光板が存在する側と反対側から被覆する第２被覆部とを備える
ことを特徴とする請求項２に記載の照明装置。
【請求項４】
前記第１被覆部は、前記導光板における前記カバー側の面であって前記バリ周辺部も被覆する
ことを特徴とする請求項３に記載の照明装置。
【請求項５】
前記痕跡は前記内周面に複数あると共に、当該複数の痕跡に対応して前記規制部材が複数個あり、
前記複数の規制部材が、前記導光板の貫通孔に沿って延伸する連結部により連結されている
ことを特徴とする請求項３又は４に記載の照明装置。
【請求項６】
前記連結部の横断面形状は、前記規制部材の横断面形状と同じ形状をしている
ことを特徴とする請求項５に記載の照明装置。
【請求項７】
前記規制部材は前記器具本体に装着されることで、前記第１被覆部が前記導光板を係止している
ことを特徴とする請求項４〜６の何れか1項に記載の照明装置。
【発明の詳細な説明】
【技術分野】
【０００１】
本発明は、器具本体の前面に導光板を備える照明装置に関する。
【背景技術】
【０００２】
ＬＥＤは、長寿命で、小型で発光効率が良く、鮮やかな発光色を有するといった利点を持ち、照明装置等に広く利用されている。このような照明装置の一つとして、例えば、天井に装着される、所謂、シーリングライトがある（例えば、特許文献１）。
特許文献１に記載の照明装置は、中央に貫通口を有する器具本体と、器具本体の前面であって貫通口の周りに配された発光部と、器具本体の前側を覆うように器具本体に装着されたカバーとを備える。発光部は、環状に配された複数のＬＥＤと、ＬＥＤから発せられて内部に入射した光を導光しつつ前方へと出射する導光板とを備える。導光板は、器具本体の貫通口に合わせて、その中央に貫通孔を有する。
【０００３】
導光板は、樹脂材料から構成され、例えば、射出成形により形成される。一方、導光板内の光は、導光板の前面と後面との間で反射を繰り返す。このため、前面と後面については高い面精度が必要され、樹脂注入用のゲートが導光板の内周面又は外周面に位置するように金型が設計されている。なお、成形時にランナーに成形された樹脂（以下、「ランナー部」という。）の切り離し（除去）は、例えば、ホットニッパー等により行われる。
【先行技術文献】
【特許文献】
【０００４】
【特許文献１】特開２０１２−４３７５９号公報
【発明の概要】
【発明が解決しようとする課題】
【０００５】
しかしながら、上記照明装置では、ランナー部がホットニッパーにより除去された痕跡にはバリが残存しやすく、均一な配光特性を得るのが困難である。つまり、導光板内を伝播する光は、内周面又は外周面で反射する。この際、周面にバリ等が存在していると、その部分から外部へと光が漏れてしまう。このため、バリが残存している部分での輝度が周りの部分の輝度よりも高くなり、均一な配光特性が得られないのである。
【０００６】
なお、ランナー部の除去に伴う痕跡は、バリが残存していなくても、導光板の光出射面に比べて、表面状態が悪いため、当該痕跡から光が漏れるやすい。
本発明は、上記した課題に鑑み、導光板のランナー部の除去に伴う痕跡に影響されずに、均一な配光特性を得ることができる照明装置を提供することを目的とする。
【課題を解決するための手段】
【０００７】
上記目的を達成するために、本発明の一態様に係る照明装置は、器具本体と、前記器具本体の前面に配された複数の半導体発光素子と、前記複数の半導体発光素子を覆う状態で前記器具本体に設けられ、前記半導体発光素子から発せられた光を導光して前方へと出射する導光板と、前記導光板を覆う状態で前記器具本体に装着されたカバーとを備え、前記導光板は、ランナー部除去に伴う痕跡を１個以上有する射出成形品であり、前記痕跡から出射される光が前記カバーに直接達するのを規制する規制部材が、前記痕跡と前記カバーとの間に設けられていることを特徴とする。
【０００８】
また、前記器具本体は、引掛けシーリング用の貫通口を中央に有し、前記導光板は、前記貫通口に対応した貫通孔を有し、前記痕跡が前記導光板の内周面及び外周面の少なくとも一方の面に存在していることを特徴とする。あるいは、前記痕跡にはバリが残存し、前記規制部材は、前記バリを前記カバー側から被覆する第１被覆部と、前記バリを前記一方の面と直交する方向であって前記導光板が存在する側と反対側から被覆する第２被覆部とを備えることを特徴とする。
【０００９】
また、前記第１被覆部は、前記導光板における前記カバー側の面であって前記バリ周辺部も被覆することを特徴とする。あるいは、前記痕跡は前記内周面に複数あると共に、当該複数の痕跡に対応して前記規制部材が複数個あり、前記複数の規制部材が、前記導光板の貫通孔に沿って延伸する連結部により連結されていることを特徴とする。
また、前記連結部の横断面形状は、前記規制部材の横断面形状と同じ形状をしていることを特徴とする。あるいは、前記規制部材は前記器具本体に装着されることで、前記第1被覆部が前記導光板を係止していることを特徴とする。
【発明の効果】
【００１０】
本発明の一態様に係る照明装置は、規制部材を有しているため、痕跡から洩れた光がカバーに達するようなことはない。これにより、カバー上において痕跡に対応する部分が痕跡の周辺に対応する部分より明るくなるようなことはなく、均一な配光特性を得ることができる。
【図面の簡単な説明】
【００１１】
【図１】実施形態に係る照明装置の斜視図であり、（ａ）は下方から見た図、（ｂ）は上方から見た図
【図２】照明装置の左半分の断面図
【図３】カバーを外し、前面を上に向けた状態の斜視図
【図４】図３の状態から外側光学部材と内側光学部材等を外した状態の斜視図
【図５】器具本体の前面を上に向けた状態での斜視図
【図６】図３における中央部を拡大した図
【図７】図２のＡ部を拡大した図
【図８】内側光学部材を半分で切断し、後面を上に向けた斜視図
【図９】外側発光部の拡大図
【図１０】図９のＢ部を拡大した図
【図１１】図９のＣ部を拡大した図
【図１２】外側光学部材の斜視図
【図１３】カバーの斜視図であり、（ａ）は前面を上方に向けた状態を上方から見た斜視図、（ｂ）は後面を上方に向けた状態を上方から見た斜視図
【図１４】外側光学部材の成形を説明するための図
【図１５】外側光学部材用の成形物の斜視図
【図１６】外側光学部材の内周端部周辺の光の伝播状態を説明する図であり、（ａ）はランナー部の除去に伴う痕跡にバリが存在しない箇所の図、（ｂ）はランナー部の除去に伴う痕跡にバリが存在する箇所の図
【図１７】外側発光部及び内側発光部を発光させた状態の模式図
【図１８】外側光学部材の外周端部周辺の拡大図
【図１９】変形例２に係る規制部材周辺の斜視図
【発明を実施するための形態】
【００１２】
＜実施形態＞
以下、本発明の一態様に係る照明装置について、図面を参照しながら説明する。なお、各図面における部材の縮尺は実際のものとは異なる箇所もある。
照明装置１は、天井に着脱自在に装着できる、所謂シーリングライトである。照明装置１を床の方から見たときに見える側を照明装置１の前側とし、照明装置１の見えない側を後側とする。また、照明装置１において上下方向又は前後方向は、天井における照明装置１が装着されている面に直交する方向をいい、「下」又は「前」は床のある側を指し、「上」又は「後ろ」は天井のある側を指す。
【００１３】
また、照明装置１を前後方向から見たときの照明装置１の中心を通り、前後方向に延伸する仮想軸を中心軸とし、単に中心軸と称する場合は、照明装置１の中心軸を指すものとする。
１．全体構成
図１は実施形態に係る照明装置１の斜視図であり、（ａ）は下方から見た図であり、（ｂ）は上方から見た図である。図２は、照明装置１を上に向けた状態の左半分の断面図であり、図３はカバー９を外し、前面を上に向けた状態の斜視図である。
【００１４】
照明装置１は、主な構成として、図１〜図３に示すように、皿状の器具本体３と、器具本体３の前面に設けられた２つの発光部５，７と、２つの発光部５，７を覆うように器具本体３の前側に装着されたカバー９と、器具本体３の後面に設けられた点灯回路ユニット（図示省略）と、点灯回路ユニットを覆うように器具本体３の後側に装着された上カバー１１とを備える。
【００１５】
照明装置１は、図示していないが、天井の引掛シーリングに対してアダプタ１３を介して着脱自在に装着される。アダプタ１３は、図２に示すように、上カバー１１に着脱自在に装着されている。なお、点灯回路ユニットは、アダプタ１３を介して受電した商用電力を利用して２つの発光部５，７を点灯させる。
カバー９は、上カバー１１との関係では、「下カバー」とも言えるが、照明装置１が下方を照射する機能を主機能とする装置であるため、上下位置関係を表す「下」を省略している。また、上カバー１１は、天井に装着されるシーリングライトにおいて、照明装置１として上下の概念があるため、上カバーとしているが、例えば、器具本体３の表裏を基準にすると、上カバーは裏カバーとも言え、（下）カバーは表カバーとも言える。
２．前側構造
図４は図３の状態から外側光学部材２５と内側光学部材１９等を外した状態の斜視図である。
【００１６】
器具本体３は、前後方向に貫通する貫通口１５を中央に有する板状をしている。貫通口１５は、装置（器具本体３）を引掛けシーリングに装着する際に、自装置の位置合わせ等に利用される。２つの発光部５，７は、図３に示すように、器具本体３の前面であって貫通口１５の周りに配された環状の内側発光部５と、内側発光部５の外側に配された環状の外側発光部７である。
【００１７】
内側発光部５は、図４に示すように複数のＬＥＤが環状に配されてなる内側発光モジュール１７と、図３に示すように内側発光モジュール１７を覆う環状の内側光学部材１９とを含む。外側発光部７は、図４に示すように複数のＬＥＤが環状に配されてなる外側発光モジュール２３と、図３に示すように外側発光モジュール２３を覆い且つ内側発光部５に対応した開口を中央に有する外側光学部材２５とを含む。
【００１８】
器具本体３の外周縁周辺には、カバー９を装着するための２種類の装着部材２７，２９が取り付けられている。器具本体３の外周縁には、図２に示すように、器具本体３の外周縁から斜め上方に延伸する傘部材３１が取り付けられている。
以下、各構成について説明する。
（１）器具本体
図５は、器具本体３から発光部５，７を取り除いて、その前面を上に向けた状態での斜視図である。
【００１９】
器具本体３は、図５に示すように、円板状をしている。器具本体３は、内側発光部５を装着するための内側発光部装着領域４１と、外側発光部７を装着するための外側発光部装着領域４３と、カバー９用の装着部材２７，２９を装着するためのカバー装着領域４５とを前面に有する。
また、器具本体３は、その中央に貫通口１５が位置する第１平坦部４７と、第１平坦部４７の外周側に位置する環状の第２平坦部４９と、第２平坦部４９の外周側に位置する環状の第３平坦部５１とを備える。ここでは、第１平坦部４７、第２平坦部４９、第３平坦部５１の順で段差状に後退している（第３平坦部５１を基準にすると、第１平坦部４７がもっとも高い位置にある。）。
【００２０】
器具本体３の前面を前方から見ると各平坦部４７，４９，５１は円環状をし、その径方向の寸法である幅は、第１平坦部４７が最も長く、第２平坦部４９と第３平坦部５１とが同じぐらいになっている。
ここで、内側発光部装着領域４１は、第１平坦部４７の内周側に存在し、外側発光部装着領域４３は、第１平坦部４７の外周側と第２平坦部４９とに跨って存在している。また、カバー装着領域４５は、第３平坦部５１に存在している。
【００２１】
器具本体３における第３平坦部５１の外周部５５は、図２及び図５に示すように、前側に折り返され、その先端部５５ａは丸められている。なお、先端部５５ａを丸めることにより、カバー９を器具本体３に装着する際に、人の指が先端部５５ａに接触して、怪我するようなことを失くすことができる。
器具本体３には、上記の主・内側発光部５，７、装着部材２７，２９、傘部材３１等を装着するための貫通孔やネジ孔が設けられている。
（２）内側発光部
図６は、図３における中央部を拡大した図である。図７は、図２のＡ部を拡大した図である。
【００２２】
内側発光部５は、図４及び図７に示すように、器具本体３の前面に載置された内側発光モジュール１７と、内側発光モジュール１７を押圧するように器具本体３に固定された内側光学部材１９とを備える。内側光学部材１９は、内側発光部５から所定方向に向けて光が出射するように、内側発光モジュール１７から発せられた光の軌道を変更する。
（２−１）内側発光モジュール
内側発光モジュール１７は、図４及び図７に示すように、基板６１と、基板６１に実装されたＬＥＤとを備える。基板６１は、図４に示すように、全体形状として円環状をしている。基板６１は、１個の絶縁板から構成される。ここでは、１つの絶縁板から構成され、その前面にＬＥＤと電気的に接続される配線パターンが形成されている。
【００２３】
ＬＥＤは、ここでは、所謂、ＳＭＤ（Ｓｕｒｆａｃｅ  Ｍｏｕｎｔ  Ｄｅｖｉｃｅ）６３が用いられている。このＳＭＤ６３は、複数のＬＥＤが実装され、実装された全てのＬＥＤをまとめて封止材料で封止され、パッケージ化されたものである。ＳＭＤ６３は、ＳＭＤ６３を構成するＬＥＤの主出射方向を中心軸と平行となるように、基板６１に実装されている。
【００２４】
ＳＭＤ６３は、複数あり、環状の基板６１上に存する仮想円周線上を周方向に間隔をおいて実装されている。なお、ここでの間隔は等間隔である。また、仮想円周線は、図７に示すように、基板６１の半径方向の略中央にある。つまり、仮想円周線は、環状の基板６１の内周と外周との真ん中に位置している。
封止材料は、例えば、樹脂材料からなる。ＬＥＤから発せられた波長を変換する必要がある場合は、蛍光体粒子等の波長変換部材が樹脂材料に混入されている。
【００２５】
内側発光モジュール１７は、図４に示すように、照明装置１の点灯・消灯等を遠隔操作するリモコンからの信号を受信する受信センサ６５を基板６１に有している。
（２−２）内側光学部材
図８は、内側光学部材１９を半分で切断し、後面を上に向けた斜視図である。
内側光学部材１９は、内側発光モジュール１７から出射された光の進行方向を屈折作用により変更する。ここでは、内側発光モジュール１７は、上述のように円環状をしている。このため、内側光学部材１９も図６等に示すように円環状をしている。
【００２６】
内側光学部材１９は、図６、図８に示すように、全体の形状として板状をし、前側から見た場合、その中央部分１９ａが周方向に連続して隆起している。
内側光学部材１９の中央部分１９ａの内部には、図７に示すように、内側発光モジュール１７のＳＭＤ６３が配されている。隆起している部分で、内部に配されているＳＭＤ６３からの光を、その一部を除いて屈曲（屈折）させる光学手段が構成されている。
【００２７】
光学手段は、光の屈折を利用しており、隆起した部分、及びその周辺をまとめて屈折レンズ部６９とする。
屈折レンズ部６９は、図７に示すように、ＳＭＤ６３からの光のうち、中心軸と略平行に進む光をそのまま直進させ、中心軸に向かう方向に進む光をあまり屈折させず、中心軸から離れる方向に進む光を中心軸に向かう光よりも大きく屈折させる。具体的には、図７に示すように、屈曲レンズ６９の前面７３において、ＳＭＤ６３の中心を通り、中心軸と平行なＳＭＤ６３の中心線に対して、中心軸に近い側（図の右側）の内面７３ｂの曲率半径を小さくし、中心軸に遠い側（図の左側）の外面７３ａの曲率半径を大きくしている。これにより、ＳＭＤ６３の中心線の外側・内側で屈折率が異なり、ＳＭＤ６３の光を内側光学部材１９から所定方向に出射させることができる。
【００２８】
屈折レンズ部６９は、図７に示すように、ＳＭＤ６３の中心を通り中心軸と平行な仮想線に対して、後面７１における前記仮想線の外側の面形状と前記仮想線の内側の面形状とは対称であり、曲率半径が同じになっている。また、後面７１の曲率半径は、前面７３の曲率半径よりも小さくなっている。
内側光学部材１９は、図７及び図８に示すように、後面７１に凹入部７５を有し、この凹入部７５の中央に屈折レンズ部６９が位置する。凹入部７５の幅は、内側発光モジュール１７の基板６１の幅に対応し、深さは基板６１の厚みより浅い。これにより、内側光学部材１９が器具本体３に固定されると、内側発光モジュール１７が内側光学部材１９により押圧され、その移動が規制される。なお、凹入部７５の幅は、径方向の寸法であり、内側光学部材１９や内側発光モジュール１７の横断面において左右方向の寸法である。
【００２９】
内側光学部材１９は、所定の固定方法により固定される。ここでの固定方法は螺合方法である。つまり、内側光学部材１９は、図６及び図８に示すように、屈折レンズ部６９よりも内側に位置する内側部分７７と、屈折レンズ部６９よりも外側に位置する外側部分７９とに、厚み方向に貫通する貫通孔８１を有する。貫通孔８１を挿通する固定ネジ８３が器具本体３のネジ孔８５に螺合する（図５及び図６参照）。
【００３０】
内側光学部材１９は、図６に示すように、内部が中空の膨出部分８７を有し、この内部に内側発光モジュール１７の受信センサ６５や点灯回路ユニット側と接続するための接続コネクタ６７が収容される。
内側光学部材１９は、内側発光モジュール１７が大気に晒されるのを防止するための密閉構造を有している。具体的には、図７に示すように、リングパッキン８８を利用し、リングパッキン８８用のパッキン溝７６ａ，７６ｂが凹入部７５の外周側と内周側との２ヶ所に設けられている。
（３）外側発光部
図９は外側発光部７の拡大図であり、図１０は図９のＢ部を拡大した図であり、図１１は図９のＣ部を拡大した図である。
【００３１】
外側発光部７は、図４及び図９に示すように、器具本体３の前面に載置された外側発光モジュール２３と、外側発光モジュール２３の外側位置から内側発光部５の近傍位置に跨るように配された外側光学部材２５とを備える。外側光学部材２５は、内側発光部５から光が発せられない領域及び内側発光部５から発せられている光が弱い（光束が少ない）領域をカバーするように、外側発光モジュール２３から発せられた光の軌道を変更する。
【００３２】
外側光学部材２５は、図３及び図９に示すように、その外周縁は外側押さえ部材９３により器具本体３側に押圧され、内周縁は内側押さえ部材９５により器具本体３側に押圧されることで、器具本体３に装着される。
（３−１）外側発光モジュール
外側発光モジュール２３は、図４に示すように、基板９７と、基板９７に実装されたＬＥＤとを備える。ここでは、外側発光モジュール２３は、図４に示すように、複数個（４個である。）ある。これらすべての外側発光モジュール２３が器具本体３上に配されると、全体形状として円環状を形成する。
【００３３】
基板９７は、１個の絶縁板と、絶縁板の前面形成された配線パターン（図示省略）とを備える。なお、各基板９７は環状の一部（４分の１である。）を構成している。このため、各基板９７について周方向及び径方向を用いて説明するときは、この方向は、４つの基板９７が配されて形成される環状における周方向及び径方向と同じ方向である。
ＬＥＤは、ここでは、所謂、ＳＭＤ（Ｓｕｒｆａｃｅ  Ｍｏｕｎｔ  Ｄｅｖｉｃｅ）９９が用いられている。このＳＭＤ９９は、複数のＬＥＤが実装され、実装された全てのＬＥＤをまとめて封止材料で封止され、パッケージ化されたものである。ＳＭＤ９９は、ＳＭＤ９９を構成するＬＥＤの主出射方向を中心軸と平行となるように、基板９７に実装されている。
【００３４】
ＳＭＤ９９は、複数あり、４つの基板９７により環状を形成したときに、各基板９７上に位置する仮想円周線（図示省略）上を周方向に間隔をおいて実装されている。なお、ここでの間隔は等間隔である。また、仮想円周線は、基板９７の半径方向の中央より外側に位置している（図４参照）。
封止材料は、例えば、樹脂材料からなる。ＬＥＤから発せられた波長を変換する必要がある場合は、蛍光体粒子等の波長変換部材が樹脂材料に混入されている。
【００３５】
各基板９７には、図４に示すように、環状に配された際に、周方向に隣接する基板９７同士を連結する連結コネクタ１０１，１０３が設けられている。なお、隣接する基板９７の連結コネクタ１０１，１０３を結ぶ配線の図示は省略している。
（３−２）外側光学部材
図１２は、外側光学部材の斜視図である。
【００３６】
外側光学部材２５は、外側発光モジュール２３から出射された光を入射面から入射させ、内側発光部５の近傍まで導光させつつ前方へと出射させる。ここでは、器具本体３の中央に内側発光部５や貫通口１５が存している。このため、外側光学部材２５も図３等に示すように円環状をしている。なお、外側光学部材２５は、中央に厚み方向に貫通する貫通孔１１０を有する円盤状をしているとも言える。
【００３７】
外側光学部材２５は、図９に示すように、第１平坦部４７に沿って平行に延伸する第１円環板部１１１と、第２平坦部４９に沿って平行に延伸する第２円環板部１１３と、第１円環板部１１１と第２円環板部１１３とを連結する連結板部１１５とを有する。ここでは、第１円環板部１１１、第２円環板部１１３及び連結板部１１５の厚みは略同じである。
第１円環板部１１１は、第１平坦部４７であって内側発光部５の外側位置から、外側発光モジュール２３の基板９７の内周縁の近傍位置までの領域に跨っている。第２円環板部１１３は、第２平坦部４９であって外側発光モジュール２３のＳＭＤ９９の内側位置から、第２平坦部４９の外周縁の近傍位置までの領域に跨っている。
【００３８】
第２平坦部４９は、第１平坦部４７に対して低くなっている。このため、連結板部１１５は、図１０に示すように、第１円環板部１１１の外周端から、第２円環板部１１３の内周端にかけて円弧状に湾曲している。
外側光学部材２５が器具本体３に装着された状態では、図１０に示すように、第１円環板部１１１と器具本体３の第２平坦部４９との間に空間１２５が形成される。この空間１２５には、基板９７同士を連結する連結コネクタ１０１，１０３が収容される。
【００３９】
外側光学部材２５は、図１０に示すように、外側発光モジュール２３からの光が入射する入射部１１７と、入射した光を導光させる導光部１１９と、導光してきた光を出射する出射部１２１とを有する、所謂、導光板である。
入射部１１７は、広い意味では、ＳＭＤ９９から側方に発せられて器具本体３や連結コネクタ１０１，１０３等で反射した後、外側光学部材２５に入射することもあり、当該入射する部分も入射部と言える。このため、入射部１１７は、外側発光モジュール２３が収容されている空間１２５に接する面と言える。
【００４０】
ここでは、ＳＭＤ９９は光の指向性が強いため、入射部１１７は、少なくとも、ＳＭＤ９９の上面と対向する部分及び当該部分周辺を含む部分である。
導光部１１９は、外側光学部材２５の内部に相当する。つまり、入射部１１７から入射した光は、図１０に示すように、後面２５ａと前面２５ｂとの間を反射しながら、外側光学部材２５の内部を伝搬する。出射部１２１は、ここでは外側光学部材２５の前面２５ｂが相当する。
【００４１】
外側光学部材２５は、上記の導光板として機能するために、入射部１１７を除く後面２５ａが反射機能を有し、前面２５ｂが拡散機能を有している。なお、ここでの拡散機能は、前面２５ｂを凹凸にすることで実施できる。
これにより、入射部１１７から入射した光が、後面２５ａにおいて前面２５ｂ側へと反射され、前面２５ｂで一部の光が前方へと出射し、残りの光が後面２５ａ側へと反射される。これを繰り返すことで、導光部１１９内の光が所望の位置まで伝播して前方へと出射される。
【００４２】
外側光学部材２５は、図１０に示すように、器具本体３への装着用の装着部１２７を有している。装着部１２７は、外側発光モジュール２３の外周縁に近い位置に形成されている。ここでは、外側発光部７の外側部分に形成された貫通孔１２７ａで構成されている。
外側光学部材２５は、樹脂材料により構成され、例えば、射出成形により形成された、所謂、射出成形品である。樹脂注入用のゲート（図１５参照）は、外側光学部材２５の内周面に１又は複数個存在している（ここでは、４個である。）。
【００４３】
ランナー部の除去は、例えばホットニッパーにより行われる。このような場合、ランナー部を除去した痕跡には、図１２においてＤ部の拡大図で示すようにバリ１２４が存在することがある。
外側光学部材２５は、外側発光モジュール２３が大気に晒されるのを防止するための密閉構造を有している。具体的には、図９から図１１に示すように、リングパッキン１２６を利用し、リングパッキン１２６用のパッキン溝１２８ａ，１２８ｂが外側光学部材１２３における外周縁に近い部分と内周縁に近い部分との２ヶ所に設けられている。
【００４４】
なお、外側光学部材２５の内周縁部の厚みは、図１１に示すように、中央部の厚みよりも厚くなっている。これは、パッキン溝１２８ｂを内周縁部に設けることにより、内周縁部の厚みが中央部の厚みより薄くなるのを防止するためである。つまり、内周縁部において、パッキン溝１２８ｂが存している部分での実質的な厚みＨ２と、中央部の厚みＨ１とが略同じになるようにしているためである。
（３−３）外側押さえ部材
外側押さえ部材９３は、図１０に示すように、外側光学部材２５の外周部分を押さえた状態で、器具本体３に固定される。外側押さえ部材９３は環状をしている。外側押さえ部材９３は、横断面形状が外側光学部材２５の外周部分の前面と同じような形状をし、全体形状として、図３に示すように、円環状をしている。このため、外側押さえ部材９３を外側光学部材２５の外周部分に載置すると、外側押さえ部材９３の後面と、外側光学部材２５の前面２５ｂとの大部分が当接する。
【００４５】
外側押さえ部材９３の外周部分には、外側光学部材２５の装着部１２７に対応して、固定部１２９が形成されている。ここでは、外側光学部材２５の装着部１２７及び外側押さえ部材９３の固定部１２９は貫通孔１２７ａ，１２９ａが利用される。この貫通孔１２７ａ，１２９ａと器具本体３の貫通孔１３３とを挿通するネジ部材１３１が上カバー１１のネジ穴１３４に螺合する。これにより、外側光学部材２５の外周部分と外側押さえ部材９３とが器具本体３（上カバー１１）に固定される。
【００４６】
外側押さえ部材９３が当接する外側光学部材２５の外周部分２５ｃは、第２円環板部１１３と連結板部１１５と第１円環板部１１１の外周部分である。外側光学部材２５の外周部分２５ｃは、外側発光部７のＳＭＤ９９の上方部分と当該上方部分の周辺部とを含む部分であり、ＳＭＤ９９から中心軸に平行に発せられた光及び中心軸に対して少し傾斜した方向に発せられた光は、外側光学部材２５をそのまま通り貫けて、前方へと出射する傾向にある。
【００４７】
外側押さえ部材９３は、ＳＭＤ９９から上方に出射されて外側光学部材２５を通り貫けて時部材９３に入射する光の進行方向を変更させる機能を有する。この機能は、拡散機能であり、例えば、外側押さえ部材９３の前面や後面の少なくとも一方の面に拡散処理（凹凸処理）を施したり、外側押さえ部材９３の内部に拡散材料を混入したりすることで実施できる。
（３−４）内側押さえ部材
内側押さえ部材９５は、図１１に示すように、外側光学部材２５の内周端部の前面をカバー９側から押さえた状態で、器具本体３に固定される。内側押さえ部材９５はここでは、環状、具体的には円環状をしている。
【００４８】
内側押さえ部材９５は、横断面形状が、外側光学部材２５の内周端部と同じような形状をしている。ここでは、外側光学部材２５の内周端部は、図１１に示すように、前面が器具本体３の第１平坦部４７（外側発光部装着領域４３でもある。）と平行となっており、内周面が器具本体３の第１平坦部４７（外側発光部装着領域４３でもある。）と垂直になっている。
【００４９】
内側押さえ部材９５は、器具本体３の第１平坦部４７に対して立設する立設壁９５ａと、立設壁９５ａの前端から外側光学部材２５の内周端部の前面へと張り出す前壁９５ｂとを全周に亘って備える。つまり、内側押さえ部材９５の横断面形状（断面が周方向と直交し、図１１に示す状態である。）は、「Ｌ」字を逆にしたような形状をしている。
このため、内側押さえ部材９５を外側光学部材２５の内周端部に載置すると、内側押さえ部材９５の前壁９５ｂと外側光学部材２５の内周端部の前面２５ｄとが当接し、内側押さえ部材９５の立設壁９５ａの外周面９５ｃと外側光学部材２５の内周面２５ｅとが対向する。
【００５０】
内側押さえ部材９５の内周部分には、図６及び図１１に示すように、固定部１３７が形成されている。ここでの固定部１３７は貫通孔１３７ａを有する。この貫通孔１３７ａを挿通するネジ部材１３９が器具本体３のネジ穴１４１に螺合する。これにより、外側光学部材２５の内周端部を押さえる内側押さえ部材９５が器具本体３に固定される。
外側光学部材２５の内周面２５ｅと立設壁９５の外周面９５ｃとは、両者の間に隙間が存在するように、構成されている。この隙間は、外側光学部材２５の内周面２５ｅから貫通孔１１０の中心へと張り出すバリ１２４を収容できる大きさに設定されている。なお、図１１は、バリ１２４が存在している部分での断面を示している。
【００５１】
内側押さえ部材９５は、外側光学部材２５の内周面に存在するバリ１２４の周辺部分は、バリ１２４から出射される光がカバー９に直接達するのを規制する規制部材として機能する。内側押さえ部材９５の痕跡（バリ）周辺部分を１つの規制部材とすると、本例ではランナー部（１９１ｂ）の除去に伴う痕跡が４個あるため、４個の規制部材が存在することとなる。
【００５２】
換言すると、内側押さえ部材９５は、バリ１２４をカバー９側から被覆する前壁（本発明の「第１被覆部」に相当する。）９５ｂと、バリ１２４を外側光学部材２５の内周面２５ｅと直交する方向であって外側光学部材２５が存在する側と反対側から被覆する立設壁９５ａ（本発明の「第２被覆部」に相当する。）とを備える。
内側押さえ部材９５における周方向に隣接するバリ１２４の周辺部分の間が、外側光学部材（導光板）２５の貫通孔に沿って延伸する連結部に相当する。つまり、４つの規制部材が連結部により連結されている。
（４）装着部材
装着部材は、図３及び図４に示すように、カバー９の落下と回転を阻止する第１装着部材２７と、カバー９の落下を阻止する第２装着部材２９との２種類がある。なお、第１装着部材２７及び第２装着部材２９のそれぞれは４個ある。
（４−１）第１装着部材
第１装着部材２７は、図３及び図４に示すように、器具本体３の円周方向に沿って延伸するとともに横断面形状が「コ」の字状をする本体部１４５と、本体部１４５の周方向の一方の端部を塞ぐ蓋部１４７とを有する。なお、本体部１４５の後側の辺が器具本体３に当接して装着される。
【００５３】
本体部１４５はカバー９の周縁部の突出部分１７１（図１２の（ｂ）参照）と嵌合し、蓋部１４７は、カバー９が一方向に回転した時に、カバー９の突出部分１７１と当接する。これにより、カバー９の回転が規制される。
（４−２）第２装着部材
第２装着部材２９は、図３及び図４に示すように、本体部１４９と係止部１５１とを有する。本体部１４９は、器具本体３に装着される。係止部１５１は、本体部１４９の前側から鉤状に延出してなる。器具本体３の前面と係止部１５１の間にカバー９の端部の突出部分１７１が嵌る。これにより、カバー９の突出部分１７１が係止部１５１により係止（掛止）される。
（５）傘部材
傘部材３１は、図２及び図３に示すように、器具本体３の外周縁に装着されている。傘部材３１は、図２に示すように、「Ｌ」字状をしたＬ字状部１５５と、円弧状に湾曲する湾曲部１５７とを有している。なお、傘部材３１は、カバー９への埃が付着するのを防止する機能を有する。
【００５４】
Ｌ字状部１５５は、その一端部が器具本体３の外周端の後面に固定されている。湾曲部１５７は、中心が前側に存するように湾曲し、その一端がＬ字状部１５５の他端につながっている。湾曲部１５７の一端は、図２に示すように、カバー９が器具本体３に装着されている状態では、カバー９の外周縁よりも少し中心軸側に移った位置に存在する。これにより、器具本体３の外周部５５が傘部材３１とカバー９とで隠れる。
（６）カバー
図１３は、カバー９の斜視図であり、（ａ）は前面を上方に向けた状態を上方から見た斜視図であり、（ｂ）は後面を上方に向けた状態を上方から見た斜視図である。
【００５５】
なお、図１３で、径方向に延伸している線は、カバーが曲線状であってドーム状をしているため、その湾曲具合が分かるように記載したものである。
カバー９は、図１３に示すように、器具本体３の前側を覆う本体部１６１と、器具本体３に装着するための装着部１６３とを有する。
本体部１６１は、内側発光部５及び貫通口１５に対向する部分に形成された平坦部１６５と、外側発光部７に対向する部分に形成された湾曲部１６７とを有する。
【００５６】
平坦部１６５は中心軸と直交するように形成されている。平坦部１６５は、円形状をした円形領域に形成され、前方から見たときに、この領域内に貫通口１５と内側発光部５とが含まれる。
平坦部１６５を前方から見たときに、平坦部１６５は内側発光部５の複数のＳＭＤ６３の外側領域まであればよい。つまり、図２に示すように、平坦部１６５の直径を「Ｄ１」とし、ＳＭＤ６３の中心線を結んだ仮想線（円形状をしている）の直径を「Ｄ２」とすると、直径Ｄ１が直径Ｄ２よりも大きければよい。また、外側発光部７の外側光学部材２５の内周面の直径を「Ｄ３」とすると、直径Ｄ１は直径Ｄ３よりも小さい。
【００５７】
湾曲部１６７は、外側発光部７と対向する部分を含む円環状をした円環領域に形成されている。湾曲部１６７は、平坦部１６５に近接する部分位置する内側湾曲部分１６８と、内側湾曲部分１６８の外周側に位置する外側湾曲部分１６９とを有する。
なお、図１の（ａ）及び図１３で示されている円状の線は、形状が変化する部分の境界線であり、例えば、内側湾曲部分１６８と外側湾曲部分１６９との境界を示す線等である。
【００５８】
内側湾曲部分１６８は、カバー９を下方から見たときに、後方へ膨らむように湾曲する。つまり、湾曲部分の円弧の中心が前側（カバー９の外面側であり、光の出射方向である。）にある。外側湾曲部分１６９は、カバー９を下方から見たときに、前方へ膨らむように湾曲する。つまり、湾曲部分の円弧の中心が後側（カバー９の内面側である。）にある。
【００５９】
内側湾曲部分１６８の円弧の曲率半径は、外側湾曲部分１６９の円弧の曲率半径よりも大きい。側方からカバー９を見ると、カバー９はドーム状をし、その中央部分（平坦部１６５と内側湾曲部分１６８である。）が突出している。
図２に示すように、内側発光部５のＳＭＤ６３とカバー９の平坦部１６５の内面との前後方向の間隔Ｌ１は、外側発光部７のＳＭＤ９９とカバー９の外側湾曲部分１６９の内面との前後方向の間隔Ｌ２よりも大きい。つまり、湾曲部１６７は、平坦部１６５から外側発光部７の外周側へと移るに従って外側発光部７に近づくように湾曲している。
３．後側構造
器具本体３の後面は、図１の（ｂ）に示すように、上カバー１１が装着されている。上カバー１１は、碗状をし、その開口周縁を器具本体３の後面に当接させている。上カバー１１と器具本体３との間の空間には、点灯回路ユニットが配されている。
【００６０】
上カバー１１の後面には、天井に照明装置１を装着する際に、天井と照明装置１との間の隙間をなくすためのクッション材１７３が取り付けられている。なお、クッション材１７３は、周方向に間隔をおいて４個設けられている。
４．外側光学部材２５について
（１）製造方法
図１４は、外側光学部材２５の成形を説明するための図である。
【００６１】
外側光学部材２５を成形するための成形型１８１は、下型１８３と上型１８５の２個の金型から構成される。下型１８３と上型１８５とが組み合されると、内部に、外側光学部材２５用のキャビティ１８１ａ、ランナー１８１ｂ、スプルー１８１ｃとが形成される。
スプルー１８１ｃは、外側光学部材２５の中心軸に相当する部分に設けられている。ランナー１８１ｂは、スプルー１８１ｃの下流端から放射状に延伸している。ここでは、ランナー１８１ｂは、周方向に間隔をおいて複数個設けられている。具体的には、等間隔をおいて４個設けられている。
【００６２】
ランナー１８１ｂの下流端は、キャビティ１８１ａの入り口であり、外側光学部材２５の内周面に相当する。このキャビティ１８１ａへの入り口がゲート１８１ｄとなる。
図１５は、外側光学部材用の成形物の斜視図である。
上述の成形型１８１を用いて、外側光学部材２５用の樹脂をスプルー１８１ｃ、ランナー１８１ｂを経由して、キャビティ１８１ａ内に充填した後、充填された樹脂材料を硬化させて、成形型１８１から取り出した（脱型後である）ものを成形物１９１としている。
【００６３】
成形物１９１は、本体部１９１ａと、ランナー部１９１ｂと、スプルー部１９１ｃとからなる。ここでは、成形型１８１に対応してランナー部１９１ｂは４個あり、４個のランナー部１９１ｂが交差する部分で立設するスプルー部１９１ｃが存在する。
外側光学部材２５は、成形物１９１からランナー部１９１ｂ及びスプルー部１９１ｃを除去して得られる。ランナー部１９１ｂ及びスプルー部１９１ｃの除去は、例えば、ヒートニッパーにより行われる。ランナー部１９１ｂの除去は、外側光学部材２５を平面視したときに、内周面の形状が円形状となるように削除されるが、痕跡としてバリが残存してしまうことがある。
（２）光学特性
外側光学部材２５は、図１１に示すように、内周側の端部における内周面２５ｅと前面２５ｄとが内側押さえ部材９５により被覆されている。特に、内側押さえ部材９５は、外側光学部材２５やカバー９よりも光透過性の悪い材料で構成されている。
【００６４】
これにより、外側光学部材２５の内周面２５ｅにバリ１２４が残存し、外側発光モジュール２３から伝播してきた光がバリ１２４から漏れたとしても、内側押さえ部材９５により遮光されるため、漏れ光が内側押さえ部材９５から出射されることはない。
図１６は、外側光学部材２５の内周側の端部周辺の光の伝播状態を説明する図であり、（ａ）はランナー部を除去した痕跡にバリが存在しない箇所での状態であり、（ｂ）はランナー部を除去した痕跡にバリが存在する箇所での状態である。
【００６５】
まず、バリが存在しない箇所での状態について説明する。
外側発光モジュール２３から出射されて外側光学部材２５内を伝播してきた光のうち、一部の光１９５は、図１６の（ａ）に示すように、外側光学部材２５の内周面２５ｅに達する。内周面２５ｅは、金型面に接して形成されるため、良好な表面状態が得られる。このため、内周面２５ｅに達した光１９５は、内周面２５ｅで反射する。
【００６６】
次にバリが存在する箇所での状態について説明する。
外側発光モジュール２３から出射されて外側光学部材２５内を伝播してきた光のうち、一部の光１９７は、図１６の（ｂ）に示すように、外側光学部材２５の内周面２５ｅとバリ１２４との境界であり、バリが存在しない部分での内周面２５ｅに相当する位置に達する。なお、一部の光１９７が内周面２５ｅに達するまでの光路は、上記のバリが存在しない場合での光１９５の光路と同じとしている。
【００６７】
バリ１２４が存在する内周面２５ｅは、ホットニッパーでライナー部１９１ｂの除去の際に変形したり、バリが残ったりして、凹凸の大きな表面状態となる。このため、内周面２５ｅに相当する部分に達した光１９６は、バリ１２４の内部をそのまま直進する。
このとき、バリ１２４の表面に対する入射角が大きい場合、図１６の（ｂ）に示すように、そのまま直進して外側光学部材２５から外部へと光が出射される。外部に出射された光１９７は、破線で示すように、内側押さえ部材９５に進入する。
【００６８】
内側押さえ部材９５は光透過性が悪いため、内側押さえ部材９５に入射した光１９７は吸収され、内側押さえ部材９５の外部から出射する光１９７を少なくできる。これにより、外側光学部材２５の内周側であって、バリと、その周辺のバリの存在しない部分との輝度ムラを小さくできる。
（３）操作性
外側光学部材２５のバリ１２４は、図１１に示すように、内側押さえ部材９５により被覆されている。このため、外側光学部材２５の内周面２５ｅにバリ１２４が残存し、表側カバー９を取り外した状態においても、バリ１２４が露出することはなくなる。これにより、器具本体３を天井の引掛けシーリングに装着する際にも、バリ１２４が人の手に触れるようなことを完全に失くすことができる。
【００６９】
特に、外側光学部材２５の内周端面２５ｅと内側押さえ部材９５の外周側面９５ｃとの間には、外側光学部材２５のライナー部（１９１ｂ）の除去の際に発生したバリ１２４を考慮した隙間が存在する。これによって、バリ１２４の影響により、外側光学部材２５と内側押さえ部材９５とが干渉して、外側光学部材２５が内側押さえ部材９５により固定されないというようなことも生じ難い。
５．点灯について
図１７は、外側発光部及び内側発光部を発光させた状態の模式図である。
【００７０】
照明装置１は、外側発光部７及び内側発光部５を発光させて、カバー９の全面から光を出射する、所謂、全面発光タイプである。外側発光部７は、外側光学部材２５を利用して、所望の位置まで光を誘導して出射させる。外側光学部材２５は、器具本体３の第１平坦部４７と平行に延伸する第１円環板部１１１を有しているため、第１円環板部１１１の前面（出射部１２１）から前方（下方）へと光１８３ａが出射される。
【００７１】
連結板部１１５は、第２平坦部４９と平行に延伸する第２円環板部１１３の内周端から第１円環板部１１１へと円弧状に張り出すように湾曲しているため、連結板部１１５の前面（出射部１２１）からは、外側方へと光１８３ｂが出射される。
また、外側発光部７のＳＭＤ９９はその主出射方向を前方に向けて配され、外側光学部材２５の入射部１１７は、ＳＭＤ９９と対向している。このため、ＳＭＤ９９から主出射方向に発せられた光は、外側光学部材２５の入射部１１７から入射し、外側光学部材２５内を主出射方向にそのまま直進して外側光学部材２５の連結板部１１５の前面（出射部１２１）から外部へと出射される。
【００７２】
しかし、外側光学部材２５における前面であってＳＭＤ９９の前方及びその周辺には、拡散機能を有する外側押さえ部材９３が設けられている。これにより、連結板部１１５から主出射方向に出射された光１８３ｃは外側押さえ部材９３で拡散される。したがって、カバー９における、ＳＭＤ９９の主出射方向上に位置する部分だけ輝度が明るくなるようなことを防止することができ、輝度ムラの発生を抑制できる。
【００７３】
さらに、ＳＭＤ９９の主出射方向に発せられた光が外側押さえ部材９３により拡散され、カバー９上の輝度ムラが抑制される。これにより、ＳＭＤ９９とカバー９との距離を短くすることができ、結果的にカバー９の湾曲部１６７の厚み（高さ）を薄くできる。
内側発光部５は、器具本体３の貫通口１５と外側発光部７との間に配され、内側光学部材１９を有している。特に内側光学部材１９の屈折レンズ部６９は、内側発光部５のＳＭＤ６３からその主出射方向よりも中心軸側に出射された光を、図１７の矢印１８５ｂに示すように、さらに中心軸へと近づけるように屈折させる。これにより、貫通口１５前方へも光が出射されることとなる。
【００７４】
また、屈折レンズ部６９は、ＳＭＤ６３から主出射方向よりも外側に出射された光を、図１７の矢印１８５ｃに示すように、外側発光部７側へと屈折させる。このため、外側光学部材２５の内周端部が内側押さえ部材９５により被覆されていても、外側発光部７と内側発光部５との間で輝度が不足するようなことはなくなり、内側発光部５と外側発光部７とが連続するように光がカバー９から出射される。つまり、均斉な全面発光特性が得られる。
【００７５】
内側発光部５のＳＭＤ６３はその主出射方向を前方に向けて配され、主出射方向と屈折レンズ部６９の光軸とが略一致している。このため、ＳＭＤ６３から主出射方向に発せられた光は、図１７の矢印１８５ａで示すように、そのまま屈折レンズ部６９の光軸上を進行して出射される。
しかし、カバー９の平坦部１６５とＳＭＤ６３との間隔は、外側発光部７におけるＳＭＤ９９とカバー９の湾曲部１６７との間隔よりも大きくなっている。これにより、カバー９における、ＳＭＤ６３の主出射方向上に位置する部分だけ輝度が明るくなるようなことを防止することができる。
【００７６】
なお、カバー９の平坦部１６５と内側発光部５のＳＭＤ６３との間隔は、ＳＭＤ６３が発光している状態で前方からカバー９を見たときに、ＳＭＤ６３が斑点状としてカバー９上に現れない距離以上である。この距離はＳＭＤの仕様によって変わる。
以上のように、内側発光部５と外側発光部７とを点灯させると、内側発光部５及び外側発光部７の前方だけでなく、貫通口１５の前方にも光が出射され、カバー９の全面から光が出射される全面発光が可能となる。
【００７７】
また、カバー９において、湾曲部１６７では薄く、平坦部１６５では湾曲部１６７よりも厚くなっている。これにより、照明装置１として中央部だけが厚くなり、全体として、薄い印象をユーザに与えることができる。
＜変形例＞
１．照明装置
実施形態に係る照明装置１は、前面から見ると、円形状をしていたが、他の形状をしていてもよい。他の形状としては、例えば、正方形状、長方形状、長円形状等がある。
【００７８】
また、照明装置１についての発光光束について説明しなかったが、蛍光灯を利用した現行の照明装置と同程度の光束を発するものであってもよいし、現行の照明装置と異なる光束を発するようにしてもよい。
また、実施形態に係る照明装置１は、現行の照明装置を装着するのに利用されている引掛シーリングに装着でき、当該引掛シーリングを介して受電しているが、現行の引掛シーリングとは別に、専用の引掛シーリングに装着するような照明装置であってもよい。この場合でも、引掛シーリングに照明装置（実際にはカバーが取り外された装置である。）を装着する際に、引掛シーリングの位置を把握するための貫通口が必要である。換言すると、本発明に係る照明装置は、装置を設置する際に、引掛シーリング等の設置側のユニットの位置を把握する必要があり、この位置確認のために貫通口を器具本体に有している照明装置であればよい。
２．発光部
（１）形状
実施形態に係る発光部５，７は環状をし、その例として円環状をしていたが、他の形状であってもよい。他の形状としては、正方形、長方形状及び多角形状並びに楕円形状及び長円形状等の環状であってもよい。
【００７９】
また、実施形態に係る発光部５，７を前側から見た外周形状は、照明装置１を前側から見た外観形状と略同じである。つまり、照明装置１の外観形状は円形状であり、発光部５，７の外周形状は円形状であり、互いに同じ形状をしている。しかしながら、発光部の外周形状は、照明装置の外観形状に依存する必要はない。例えば、発光部の外周形状が円形状で、照明装置の外観形状が正方形状や長方形状であってもよい。
【００８０】
また、実施形態に係る発光部５，７は２つあり、２つの発光部５，７の外周形状が一致している。つまり、内側発光部５の外周形状は円形状であり、外側発光部７の外周形状は円形状であり、互いに一致している。しかしながら、複数の発光部の形状は互いに一致していなくてもよい。例えば、内側発光部の外周形状が正方形状で、外側発光部の外周形状が円形状であってもよい。
（２）個数
実施形態に係る発光部５，７は、内側発光部５と外側発光部７との２個により構成されていたが、中央に貫通孔を有する導光板を備えていればよく、外側発光部のみで構成されてもよい。また、発光部は、中央に貫通孔を有する導光板を備えていればよく、３個以上であってもよい。この場合、各発光部の外周形状や照明装置の外観形状は特に限定される必要はない。
（３）ＬＥＤ（半導体発光素子）
実施形態では、ＳＭＤタイプ（形態）のＬＥＤを利用しているが、他のタイプのＬＥＤを利用してもよい。他のタイプとしては、例えば、ベアチップタイプやＣＯＢ（Ｃｈｉｐ  Ｏｎ  Ｂｏａｒｄ）タイプ等がある。また、実施形態では、ＳＭＤが一列で配されていたが、複数列（例えば、２列である。）で配されていてもよい。さらに、千鳥状に配されていてもよい。
【００８１】
また、半導体発光素子として、実施形態ではＬＥＤを利用したが、例えば、ＬＤ（レーザダイオード）であってもよいし、これらとの組み合わせでもよい。
３．外側光学部材
（１）ゲート
実施形態に係る外側光学部材２５は、内周面２５ｅに対応する部分にゲートを有する金型で射出成形されている。しかしながら、外側光学部材は、他の部分にゲートが位置するよう金型により射出成形されてもよい。他の部分としては、例えば、外周面や、光の出射にあまり影響を与えない装着部の後面等がある。外周面にバリがある場合を変形例１として以下に説明する。
【００８２】
図１８は、外側光学部材の外周端部周辺の拡大図である。
外側光学部材２０１は、実施形態と同様に、中央に開口（図示省略）する円環板状をしている。外側光学部材２０１は、樹脂材料により構成され、射出成形により形成される。成形型は、外側光学部材２０１の外周面にゲートが位置するように設計され、図１８に示すように、外周面２０１ａにバリ２０３が、ランナー部の除去に伴う痕跡として存在している。
【００８３】
外側押さえ部材２０５は、図１８に示すように、外側光学部材２０１の外周端部２０１ｂをカバー９側から押さえた状態で、器具本体３に固定される。なお、ここでの外周端部２０１ｂは、外側光学部材２０１の前面であって外周縁の近傍部分をいう。
外側押さえ部材２０５は、実施形態と同様に、環状をしている。外側押さえ部材２０５は、横断面形状において、後面が外側光学部材２０１の外周端部２０１ｂの前面と同じような形状をしている。外側押さえ部材２０５の外周側端２０７は、横断面が「Ｌ」字を９０［°］回転させたような形状をしている。
【００８４】
つまり、器具本体２０１に対して直交するように設けられた立設壁（本発明の「第２被覆部」に相当する。）２０７ａと、立設壁２０７ａの前端から外側光学部材２０１の外周端部２０１ｂの前面に沿って延伸する前壁（本発明の「第１被覆部」に相当する。）２０７ｂとを有する。
外側光学部材２０１の外周面２０１ａと立設壁２０７ａの内周面との間には、バリ２０３の収容を許容する隙間が設けられている。外側押さえ部材２０５は、立設壁２０７ａの内周面と、前壁２０７ｂの下面とに反射膜を有している。
【００８５】
本例では、外側押さえ部材２０５は、透光性材料から構成されている。しかしながら、外側押さえ部材２０５は、外側光学部材２０１の外周面及びその周辺領域に対向する領域に反射膜を有している。このため、バリ２０３から出射された光は反射膜により反射され、外側押さえ部材２０５の前面から出射されることはない。
なお、外側光学部材の外周面と内周面にバリが残存する可能性がある場合、実施形態で説明した内側押さえ部材と、本例で説明した外側押さえ部材とを利用すればよい。
（２）形状
実施形態や変形例１では、導光板は円環状をしていたが、他の形状であってもよい。短形状としては、四角形等の多角環状であってもよい。この場合も、成形時のゲート口は、内周面及び外周面の少なくとも一方に設けられる。さらに、導光板は貫通孔を有していなくてもよい。この場合、成形時のゲート口は外周面に設けられている。なお、規制部材は、導光板の外周及び内周の形状に合わせて設けられ、上記の四角環状をしている場合は、四角環状に構成されてもよい。
４．規制部材
（１）構造
実施形態や変形例１では、規制部材の例として、導光板に相当する外側光学部材を器具本体３に固定するための固定部材を利用しているが、他の構造であってもよい。以下、他の構造の規制部材を変形例として説明する。
（１−１）遮光膜
規制部材として、ランナー部を除去した痕跡の表面を覆う遮光膜（反射膜）を利用してもよい。遮光膜として、例えば、アルミニウム等の金属粒子を含む溶液を塗布・乾燥等を行うことで実施できる。この場合、痕跡に対して遮光膜を設けるので、外側光学部材から出射される光が遮光膜で外側光学部材内へと反射し、痕跡から出射しようとする光を有効に利用することができる。
（１−２）被覆部材
実施形態や変形例１における固定部材は、痕跡からの光の透過を規制する規制機能と、外側光学部材を外側光学部材に固定する固定機能を有している。しかしながら、規制部材は、規制機能だけを有する構造であってもよい。
【００８６】
規制部材は、例えば、実施形態や変形例１で説明した固定部材から固定機能を取り除いた構造としてもよい。つまり、規制部材は、横断面形状が、外側光学部材における痕跡が存在する周面に対向する対向壁と、外側光学部材における痕跡が残存する側の周縁部の前面を覆う前壁とを有する逆「Ｌ」字状をし、当該断面形状が円周方向に連続してなる環状をしていてもよい。規制部材の外側光学部材への取り付けは、例えば、接着剤を利用して行われる。
（２）個数
実施形態や変形例では、１つの固定部材を利用して規制部材としている。しかしながら、規制部材は、複数あってもよい。この例を変形例２として、以下説明する。
【００８７】
図１９は、変形例２に係る規制部材周辺の斜視図である。
図１９に示す器具本体３及び外側光学部材２５は、実施形態で説明した器具本体３と外側光学部材２５と同じ構成である。
外側光学部材２５は、中央に貫通孔（１１０）を有し、内周面２５ｅにバリ１２４を複数個有する。図１９では、バリ１２４は、規制部材２５１により被覆されている部分に存在する。
【００８８】
変形例２に係る規制部材２５１は、外側光学部材２５の痕跡とその周辺のみを被覆する状態で、ネジ部材１３９（図３参照）により器具本体３に装着されている。規制部材２５１は、基本構成として、横断面形状が「Ｌ」字状をしている。
具体的には、規制部材２５１は、器具本体から立設する立設壁２５１ａと、立設壁２５１ａの前端（下端）から外側光学部材２５の前面２５ｄに沿って張り出す前壁２５１ｂとの端同士を突き合わせ状態で備える。
【００８９】
立設壁２５１ａと外側光学部材２５の内周面２５ｅとの間隔は、バリ１２４の収容を許容する大きさである。規制部材２５１は、光透過性の悪い材料から構成されている。この場合、規制部材２５１における外側光学部材２５と対向する面に反射膜を設けてもよい。
（３）材料
実施形態では、規制部材としての内側押さえ部材９５は、外側光学部材２５を構成する材料よりも光透過性が劣る材料により構成していたが、外側光学部材２５の材料よりも光透性の優れた材料を用いてもよい。この場合、内側押さえ部材における痕跡と対向する面に遮光膜等を塗布したり、内側押さえ部材を構成する材料内に拡散粒子（例えば、乳白色ガラス等である。）を分散させたりすることで、痕跡から出射される光の通過を抑制できる。
５．痕跡
実施形態では、ランナー部の除去に伴う痕跡の例としてバリについて説明した。しかしながら、痕跡は、ランナー部を除去した際の当該除去した部分を指す。したがって、痕跡の形態は、外方へ張り出すバリであってもよいし、内方へ凹入する凹みであってもよい。さらには、痕跡の形態は、バリと凹みの両方が存在するような場合でもよいし、目視ではバリや凹みが分からず、平坦状な場合でもよい。なお、痕跡部分では、痕跡の形態にかかわらず、表面状態では悪く（面粗さが大きく）、当該痕跡部分から光が漏れるやすい。
６．カバー
実施形態のカバーは、下方から見たときに、円形状をしている。しかしながら、カバーは他の形状であってもよい。他の形状としては、正方形状、長方形状、５角形以上の多角形状、楕円形状、長円形状等がある。
【００９０】
また、カバーは、下方から見たときに、器具本体と同じ形状をしていたが、器具本体と異なる形状をしていてもよい。
さらに、実施形態のカバーは、中央に平坦部を有していたが、平坦部を有しない形状であってもよい。カバーは、平坦部を有する場合、その大きさは特に限定するものではない。
【００９１】
以上、本発明に係る照明装置の構成を、実施の形態および変形例に基づいて説明したが、本発明は上記実施の形態およびその変形例に限られない。例えば、上記実施形態およびその変形例の部分的な構成を、適宜組み合わせてなる構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【符号の説明】
【００９２】
１      照明装置
３      器具本体
９      カバー
１５      貫通口
２５      外側光学部材（導光板）
２５ｅ    内周面
９５      内側押さえ部材（規制部材）
９５ａ    立設壁（第２被覆部）
９５ｂ    前壁（第１被覆部）
９９      ＳＭＤ（半導体発光素子）
１１０      貫通孔
１２４      バリ（痕跡）
２０１      外側光学部材（導光板）
２０１ａ    外周面
２０５      外側押さえ部材（規制部材）
２０７ａ    立設壁（第２被覆部）
２０７ｂ    前壁（第１被覆部）
【図１】
2014146562.tif 000003
【図２】
2014146562.tif 000004
【図３】
2014146562.tif 000005
【図４】
2014146562.tif 000006
【図５】
2014146562.tif 000007
【図６】
2014146562.tif 000008
【図７】
2014146562.tif 000009
【図８】
2014146562.tif 000010
【図９】
2014146562.tif 000011
【図１０】
2014146562.tif 000012
【図１１】
2014146562.tif 000013
【図１２】
2014146562.tif 000014
【図１３】
2014146562.tif 000015
【図１４】
2014146562.tif 000016
【図１５】
2014146562.tif 000017
【図１６】
2014146562.tif 000018
【図１７】
2014146562.tif 000019
【図１８】
2014146562.tif 000020
【図１９】
2014146562.tif 000021